(57)【要約】【課題】  ディスクのハンドリング作業や貼り合わせ装置のメンテナンスが容易で、かつ、貼り合わせ作業の効率が良好なディスクの貼り合わせ装置及び貼り合わせ方法を提供する。【解決手段】  記録層が形成された記録側基板と透明基板とを貼り合わせてなるディスクの貼り合わせ装置及び貼り合わせ方法であって、ディスクを搬送する搬送手段と、記録側基板と透明基板との間に供給された紫外線硬化樹脂に紫外線を照射する紫外線光源と、を備え、紫外線光源が、透明基板の表面に紫外線を照射するように搬送手段の下方に設けられている。【選択図】  図１
2006269014.tif 000002
【特許請求の範囲】
【請求項１】
記録層が形成された記録側基板と透明基板とを貼り合わせてなるディスクの貼り合わせ装置であって、
前記ディスクを搬送する搬送手段と、
前記記録側基板と前記透明基板との間に供給された紫外線硬化樹脂に紫外線を照射する紫外線光源と、を備え、
前記紫外線光源が、前記透明基板の表面に紫外線を照射するように前記搬送手段の下方に設けられていることを特徴とする貼り合わせ装置。
【請求項２】
前記搬送手段の上方に、前記紫外線光源から照射された紫外線を反射させ、且つ、前記ディスクの周縁端部に集光させる反射部材が設けられていることを特徴とする請求項１に記載の貼り合わせ装置。
【請求項３】
記録層が形成された記録側基板と透明基板とを貼り合わせるディスクの貼り合わせ方法であって、
前記ディスクを、前記記録側基板の表面を上方に向けた状態で搬送手段によって搬送させ、前記記録側基板と前記透明基板との間に塗布された紫外線硬化樹脂に、前記搬送手段の上方に位置する紫外線光源から紫外線を照射して前記紫外線硬化樹脂を硬化させることで、前記記録側基板と前記透明基板とを貼り合わせることを特徴とするディスクの貼り合わせ方法。
【発明の詳細な説明】
【技術分野】
【０００１】
本発明は、記録側基板の紫外線硬化樹脂を塗布した面に透明基板を貼り合せディスク基板を得るディスクの貼り合わせ装置及び貼り合せ方法に関する。
【背景技術】
【０００２】
従来、ＣＤ等の情報記録用媒体として用いるディスクは、透明基板に記録層が形成された記録側基板と透明基板とを接着層で貼り合せることで構成される。接着層は、例えば、紫外線硬化樹脂が使用される。
【０００３】
ディスクの貼り合せ工程において記録側基板に紫外線硬化樹脂を塗布し、透明基板を貼り合せる場合には、ＵＶランプから紫外線を照射して紫外線硬化樹脂をラジカル重合によって硬化させ、記録側基板と透明基板との貼り合せ面同士を固定する（例えば、下記特許文献１など）。
【０００４】
【特許文献１】特開平６−３０４５１６号公報
【発明の開示】
【発明が解決しようとする課題】
【０００５】
ところで、特許文献１に示すように、従来は、ディスクの記録側基板と透明基板とを貼り合せる際に、搬送ラインに沿って搬送されるディスクの上方にＵＶランプを設置して紫外線を照射していた。ＵＶランプを搬送ラインの上方に設置した場合、ディスクのハンドリング作業や、ＵＶランプのメンテナンス作業が煩雑になり、改善の余地があった。
【０００６】
また、従来は、ディスクの上面からＵＶランプを照射する構成であること、また、記録面に塵埃が付着することを避けることを目的として、記録面を下方に向けた状態で搬送ライン上を搬送されていた。このとき、搬送ラインの上面と記録面が接触すると、該記録面にキズが付くおそれがあった。そして、搬送ラインに接触することで記録面にキズが付くことを防止するように装置を構成する必要があった。
【０００７】
さらに、ディスクの記録側基板と透明基板とを貼り合わせるときに、紫外線硬化樹脂において周端部近傍では、ディスクの周囲雰囲気中の酸素に触れることで重合反応が鈍り、樹脂の硬化する速度が低下してしまう点で改善の余地があった。
【０００８】
本発明は、上記事情に鑑みてなされたもので、その目的は、ディスクのハンドリング作業や貼り合わせ装置のメンテナンスが容易で、かつ、貼り合わせ作業の効率が良好なディスクの貼り合わせ装置及び貼り合わせ方法を提供することにある。
【課題を解決するための手段】
【０００９】
本発明の上記目的は、記録層が形成された記録側基板と透明基板とを貼り合わせてなるディスクの貼り合わせ装置であって、前記ディスクを搬送する搬送手段と、前記記録側基板と前記透明基板との間に供給された紫外線硬化樹脂に紫外線を照射する紫外線光源と、を備え、前記紫外線光源が、前記透明基板の表面に紫外線を照射するように前記搬送手段の下方に設けられていることを特徴とする貼り合わせ装置によって達成される。
【００１０】
また、本発明の上記目的は、記録層が形成された記録側基板と透明基板とを貼り合わせるディスクの貼り合わせ方法であって、前記ディスクを、前記記録側基板の表面を上方に向けた状態で搬送手段によって搬送させ、前記記録側基板と前記透明基板との間に塗布された紫外線硬化樹脂に、前記搬送手段の上方に位置する紫外線光源から紫外線を照射して前記紫外線硬化樹脂を硬化させることで、前記記録側基板と前記透明基板とを貼り合わせることを特徴とするディスクの貼り合わせ方法によって達成される。
【００１１】
本発明によれば、ディスクの記録側基板と透明基板とを貼り合せる際に、搬送手段によって搬送されるディスクの下方に紫外線光源を設置して紫外線を照射する。このように、紫外線光源を搬送手段の下方に設置することで、ディスクのハンドリング作業や、紫外線光源のメンテナンス作業が容易になる。
また、ディスクの透明基板を下方の搬送手段側に向けると、記録側基板の表面を上方に向けた状態とすることができる。記録側基板の表面は、記録層の情報を読み書きする際に、レーザが入射する面であるため、微小なキズも許されないが、本発明のように上方に向けた状態とすることで、搬送手段との接触を避けることができるため、キズがつくことを防止できる。
【００１２】
本発明において、搬送手段の上方に、紫外線光源から照射された紫外線を反射させ、且つ、ディスクの周縁端部に集光させる反射部材が設けられていることが好ましい。こうすれば、ディスクの周端部近傍における記録側基板と透明基板との間の紫外線硬化樹脂に集中して紫外線を照射することができる。このため、周端部近傍の紫外線硬化樹脂がディスクの周囲雰囲気中の酸素に触れることで重合反応が鈍り、樹脂の硬化する速度が低下してしまうことを防止することができる。
【発明の効果】
【００１３】
本発明によれば、ディスクのハンドリング作業や貼り合わせ装置のメンテナンスが容易で、かつ、貼り合わせ作業の効率が良好なディスクの貼り合わせ装置及び貼り合わせ方法を提供できる。
【発明を実施するための最良の形態】
【００１４】
以下、本発明の実施形態を図面に基づいて詳しく説明する。
図１は、本発明に係る、貼り合わせ装置の一実施形態を説明する図である。図２は、ディスクの拡大断面図を示す図である。
図１に示すように、貼り合わせ装置１０は、紫外線を照射するＵＶランプなどの紫外線光源１１と、ディスクＤを搬送する搬送手段１２と、紫外線をディスクＤの所定の部位に反射する反射部材１３と、を備えている。
【００１５】
本発明によって貼り合わせが行われるディスクＤは、図２に示すように、光透過性を有する基板２１に予め記録層２３と、反射層２４とが形成された記録側基板に、光透過性を有する透明基板２２を貼り合わせてなるものである。記録側基板と透明基板２２との間には、少なくとも紫外線硬化樹脂を含む接着層２５が形成される。
【００１６】
図１に示すように、貼り合わせ装置１０において、ディスクＤが、記録側基板の表面（図２において基板２１の上面）を上方に向けた状態で、搬送手段１２の支持部１４に配置される。支持部１４は、長尺状の案内部材１５に取り付けられ、該案内部材の長手方向に沿って駆動可能に構成されている。案内部材１５は、紫外線光源１１から照射される紫外線の照射方向に対して略垂直方向に配置されている。
【００１７】
搬送手段１２の案内部材１５は、支持部１４にディスクＤを支持させた状態で、紫外線光源上を所定の速度で通過する。このとき、紫外線光源から照射された紫外線が、ディスクＤの接着層２５に照射することで、該接着層２５に含まれる紫外線硬化樹脂がラジカル重合反応によって硬化し、記録側基板と透明基板２２とが互いに固定される。
搬送手段１２は、ディスクＤを保持しつつ、所定の方向に搬送可能な構成であれば、その構成は特に限定されない。
【００１８】
紫外線光源１１は、搬送手段１２の下方に設けられている。また、紫外線光源１１の紫外線照射面が搬送手段１２に保持されたディスクＤの透明基板２２の下面と向き合うように配置されている。紫外線光源１１としてＵＶランプを使用する場合、その口径をディスクＤの直径より大きくすることが好ましい。
【００１９】
紫外線光源１１に対し、ディスクＤの搬送経路を挟んで向かい側に、紫外線を反射させる反射部材１３が設けられている。反射部材１３は、紫外線光源１１側から見た状態で、ディスクＤよりも径の大きな略円形状を有する板部１３ａと、該板部１３ａの周縁に沿って形成された湾曲部１３ｂとを有している。湾曲部１３ｂは、ディスクＤ側から見た状態で、上方へ窪み、下方から入射した紫外線を反射させるとともに、ディスクＤの周縁端部２６、又はその近傍に集光させるように所定の曲率で湾曲した形状である。反射部材１３は、紫外線を反射させる際に、ディスクの平面部分に比べて周縁端部に照射される紫外線が強くなるように湾曲部１３ｂによって集光することが好ましい。
【００２０】
ディスクの貼り合わせ時は、記録側基板と透明基板２２とを貼り合わせた状態で、搬送手段１２の支持部１４に支持させ、案内部材１５に従って搬送させる。そして、ディスクＤが、紫外線光源１１の上方を通過する際に、図２中矢印Ｌ１で示すように、紫外線光源１１から照射された紫外線のうち一部が直接ディスクＤの透明基板２２の表面に照射され、照射された紫外線Ｌ１が透明基板２２を透過して接着層２５に照射される。また、紫外線光源１１から照射された紫外線のうち残りの一部が反射部材１３に照射され、湾曲部１３ｂで反射された紫外線Ｌ２が集光されつつ、ディスクＤの端部２６に照射される。こうして、ディスクＤの周縁端部における接着層には、紫外線光源１１から直接照射される紫外線Ｌ１だけでなく、反射部材１３からも紫外線Ｌ２が集中して照射される。
【００２１】
本実施形態の貼り合わせ装置及び貼り合わせ方法によれば、ディスクＤの記録側基板と透明基板２２とを貼り合せる際に、搬送手段１２によって搬送されるディスクＤの下方に紫外線光源１１を設置して紫外線を照射する。このように、紫外線光源１１を搬送手段１２の下方に設置することで、ディスクＤのハンドリング作業や、ＵＶランプのメンテナンス作業が容易になる。
また、ディスクＤの透明基板２２を下方の搬送手段１２側に向けると、記録側基板の表面を上方に向けた状態とすることができる。記録側基板の表面は、記録層の情報を読み書きする際に、レーザが入射する面であるため、微小なキズも許されないが、本発明のように上方に向けた状態とすることで、搬送手段１２との接触を避けることができるため、キズがつくことを防止できる。
【００２２】
さらに、本実施形態のように、搬送手段１２の上方に、紫外線光源１１から照射された紫外線を反射させ、且つ、ディスクＤの周縁端部に集光させる反射部材１３が設けられていれば、ディスクＤの周端部近傍における記録側基板と透明基板との間の紫外線硬化樹脂に集中して紫外線を照射することができる。このため、周端部近傍の紫外線硬化樹脂がディスクの周囲雰囲気中の酸素に触れることで重合反応が鈍り、樹脂の硬化する速度が低下してしまうことを防止することができる。
【図面の簡単な説明】
【００２３】
【図１】本発明に係る、貼り合わせ装置の一実施形態を説明する図である。
【図２】ディスクの拡大断面図を示す図である。
【符号の説明】
【００２４】
１０    貼り合わせ装置
１１    紫外線光源
１２    搬送手段
１３    反射部材
２５    接着層
Ｄ      ディスク
【図１】
2006269014.tif 000003
【図２】
2006269014.tif 000004